(57)【要約】【課題】  貼り付けが容易な車載フィルムアンテナ装置などを提供する。【解決手段】  車載フィルムアンテナ装置は、給電端子部を備える。導体パターンが形成された導電部と、導電部や給電端子部と電気的に接続する導電端子１５を有するエレメント部１０を備える。エレメント部１０の表面を保護するアプリケーションフィルム２３と、ガラスに貼り付けられるエレメント部の裏面を保護するセパレーターを有する保護部を備える。テンプレート３０を備える。エレメント部１０は、アプリケーションフィルム２３を介して、テンプレート３０に取り付けられる。【選択図】図９
2018088659.tif 000002
【特許請求の範囲】
【請求項１】
給電端子部と、
導体パターンが形成された導電部と、前記導電部や前記給電端子部と電気的に接続する導電端子を有するエレメント部と、
前記エレメント部の表面を保護するアプリケーションフィルムと、ガラスに貼り付けられる前記エレメント部の裏面を保護するセパレーターを有する保護部と、
テンプレートとを備え、
前記エレメント部は、前記アプリケーションフィルムを介して、前記テンプレートに取り付けられることを特徴とする車載フィルムアンテナ装置。
【請求項２】
前記テンプレートの端部であって、前記ガラスにおける所定の位置決め部に貼り付けられる領域がある側には、前記位置決め部に位置決めされる位置決め線が設けられ、
前記エレメント部は、前記位置決め線に対して所定の姿勢で前記テンプレートに取り付けられることを特徴とする請求項１に記載の車載フィルムアンテナ装置。
【請求項３】
前記テンプレートには、前記位置決め線と平行なｘ方向と垂直なｙ方向若しくは斜め方向に第１折目線が設けられ、
前記第１折目線は、切り込みと、リード罫と、ミシン罫と、切り罫と、押罫の少なくとも１つを有するものであり、
前記テンプレートは、前記第１折目線よりも前記エレメント部に近い第１領域と、前記第１折目線よりも前記エレメント部から離れた第２領域を有し、
前記第１領域に前記アプリケーションフィルムを介して前記エレメント部が取り付けられることを特徴とする請求項２に記載の車載フィルムアンテナ装置。
【請求項４】
前記第１領域における前記位置決め線に近い側の前記ｘ方向の幅が狭く、前記第１領域における前記位置決め線から離れた側の前記ｘ方向の幅が広くなるように、前記テンプレートには、前記斜め方向に前記第１折目線が設けられることを特徴とする請求項３に記載の車載フィルムアンテナ装置。
【請求項５】
前記テンプレートは、前記エレメント部よりも硬いもので構成され、
前記第１折目線を使って前記第１領域を折り返した時に、前記エレメント部が、前記テンプレートにおける前記第１領域を除く部分の一部と重なり合うことを特徴とする請求項３に記載の車載フィルムアンテナ装置。
【請求項６】
前記テンプレートには、前記ｘ方向に延びる領域を有する第２折目線が設けられ、
前記テンプレートは、前記テンプレートの表面を構成する図形の重心を含む若しくは前記第２折目線よりも前記重心に近い前記第２領域と、前記第２折目線よりも前記重心から離れた第３領域を有し、
前記第１領域の端部であって前記ｙ方向に突出する部分と、前記第２領域の端部であって前記ｙ方向に突出する部分と、前記第３領域には、前記位置決め線が設けられ、
前記第１領域の端部に設けられた位置決め線の延長線上に、前記第２領域の端部に設けられた位置決め線が配置されるものであり、
前記第３領域に設けられた前記位置決め線を使って、前記テンプレートを前記ガラスに貼り合わせる場合は、前記第３領域は、前記第１領域や前記第２領域と同一平面上にあるように配置され、
前記第１領域の端部や前記第２領域の端部に設けられた前記位置決め線を使って、前記テンプレートを前記ガラスに貼り合わせる場合は、前記第３領域は、前記第２折目線を使って、前記テンプレートにおける前記第３領域を除く部分と対向するように折り返されることを特徴とする請求項３に記載の車載フィルムアンテナ装置。
【請求項７】
前記第２折目線は、カギ型形状で、前記ｘ方向に延びる領域として、第１左右折目線と第２左右折目線を有し、前記ｙ方向に延びる領域として、上下折目線を有するものであり、
前記第１左右折目線は、切り込みと、リード罫と、ミシン罫と、切り罫と、押罫の少なくとも１つを有するものであり、
前記第２左右折目線は、切り込みと、リード罫と、ミシン罫と、切り罫の少なくとも１つを有するものであり、
前記上下折目線は、切り込みと、リード罫と、ミシン罫と、切り罫の少なくとも１つを有するものであり、
前記第２左右折目線は、前記第２領域の端部であって前記位置決め線がある部分の先端を通り、前記第１左右折目線よりも前記重心から離れた位置にあり、
前記上下折目線は、前記第１左右折目線の端部と、前記第２左右折目線の端部とを繋ぐものであり、
前記所定の姿勢として、前記第１左右折目線の延長線上に、前記導電端子と前記導電部の境界部分が位置するように、前記エレメント部が前記テンプレートに隣接して取り付けられ、
前記第１領域の端部や前記第２領域の端部に設けられた前記位置決め線を使って、前記テンプレートを前記ガラスに貼り合わせる場合は、前記第１左右折目線が折り曲げられることを特徴とする請求項６に記載の車載フィルムアンテナ装置。
【請求項８】
前記セパレーターには、タブが設けられ、前記タブには、貼り付け手順に関する情報を含む第１表記が設けられ、
前記第１領域には、前記第１領域を引きはがす手順に関する情報を含む第２表記が設けられ、
前記第２領域には、前記給電端子部を前記ガラスに貼り付ける手順に関する情報を含む第３表記と、前記第２領域を引きはがす手順に関する情報を含む第４表記が設けられることを特徴とする請求項３に記載の車載フィルムアンテナ装置。
【請求項９】
前記テンプレートには、前記給電端子部の位置合わせに使用する位置決めマークが設けられ、
前記給電端子部における前記位置決めマークと対向する位置には、位置決め部が設けられることを特徴とする請求項２に記載の車載フィルムアンテナ装置。
【請求項１０】
前記テンプレートの裏面に貼り付け部材が設けられることを特徴とする請求項１または請求項２に記載の車載フィルムアンテナ装置。
【請求項１１】
前記テンプレートには、前記位置決め線と平行なｘ方向に延びる領域を有する第２折目線が設けられ、
前記テンプレートは、前記テンプレートの表面を構成する図形の重心を含む若しくは前記第２折目線よりも前記重心に近い第２領域と、前記第２折目線よりも前記重心から離れた第３領域を有し、
前記第２領域の端部であって前記ｘ方向に垂直なｙ方向に突出する部分と、前記第３領域の端部には、前記位置決め線が設けられ、
前記第３領域に設けられた前記位置決め線を使って、前記テンプレートを前記ガラスに貼り合わせる場合は、前記第３領域は、前記第２領域と同一平面上にあるように配置され、
前記第２領域の端部に設けられた前記位置決め線を使って、前記テンプレートを前記ガラスに貼り合わせる場合は、前記第３領域は、前記第２折目線を使って、前記テンプレートにおける前記第３領域を除く部分と対向するように折り返されることを特徴とする請求項２に記載の車載フィルムアンテナ装置。
【請求項１２】
前記エレメント部の端部であって、前記ガラスにおける所定の位置決め部に貼り付けられる領域がある側には、前記位置決め部に位置決めされる位置決め線が設けられることを特徴とする請求項１に記載の車載フィルムアンテナ装置。
【請求項１３】
前記テンプレートの裏面に設けられる貼り付け部材における前記エレメント部が貼り付けられるガラスと対向する面の第１粘着力は、前記貼り付け部材における前記テンプレートの裏面と対向する面の第２粘着力よりも小さいことを特徴とする請求項１に記載の車載フィルムアンテナ装置。
【請求項１４】
給電端子部と、エレメント部と、保護部と、テンプレートを有する車載フィルムアンテナ装置の貼り付け方法であって、
前記エレメント部は、導体パターンが形成された導電部と、前記導電部や前記給電端子部と電気的に接続する導電端子を有するものであり、
前記保護部は、前記エレメント部の表面を保護するアプリケーションフィルムと、前記エレメント部の裏面を保護するセパレーターを有するものであり、
前記エレメント部は、前記アプリケーションフィルムを介して、前記テンプレートに取り付けられ、
前記テンプレートが、前記ガラスに貼り付けられるテンプレート貼り付けステップと、
前記セパレーターを剥がした後、前記エレメント部が前記ガラスに貼り付けられるエレメント部貼り付けステップと、
前記アプリケーションフィルムが前記エレメント部から剥がされる保護フィルム引きはがしステップと、
前記テンプレートのうち、前記ガラス上に残された部分が、前記ガラスから引きはがされるテンプレート引きはがしステップを備えることを特徴とする貼り付け方法。
【請求項１５】
前記エレメント部と前記テンプレートの少なくとも一方の端部であって、前記ガラスにおける所定の位置決め部に貼り付けられる領域がある側には、前記位置決め部に位置決めされる位置決め線が設けられ、
前記位置決め線と前記位置決め部とが位置合わせされた状態で、前記テンプレート貼り付けステップが行われることを特徴とする請求項１４に記載の貼り付け方法。
【請求項１６】
車載フィルムアンテナ装置のガラスへの貼り付けに用いるテンプレートであって、
前記車載フィルムアンテナ装置は、導体パターンが形成された導電部と、前記導電部や給電端子部と電気的に接続する導電端子を有するエレメント部を有し、
前記テンプレートは、前記エレメント部の表面を保護するアプリケーションフィルムを介して、前記エレメント部に取り付けられることを特徴とするテンプレート。
【請求項１７】
前記テンプレートの端部であって、前記ガラスにおける所定の位置決め部に貼り付けられる領域がある側には、前記位置決め部に位置決めされる位置決め線が設けられることを特徴とする請求項１６に記載のテンプレート。
【発明の詳細な説明】
【技術分野】
【０００１】
本発明は、車載フィルムアンテナ装置などに関する。
【背景技術】
【０００２】
従来、特許文献１のように、車載フィルムアンテナ装置が提案されている。
【先行技術文献】
【特許文献】
【０００３】
【特許文献１】特開２００７−１０４１４２号公報
【発明の概要】
【発明が解決しようとする課題】
【０００４】
しかしながら、車載フィルムアンテナ装置におけるエレメント部は、フィルムシート状で柔らかく、所定の方向に正しく貼り付けするのが容易ではない。
【０００５】
したがって本発明の目的は、貼り付けが容易な車載フィルムアンテナ装置などを提供することである。
【課題を解決するための手段】
【０００６】
本発明に係る車載フィルムアンテナ装置は、給電端子部と、導体パターンが形成された導電部と、導電部や給電端子部と電気的に接続する導電端子を有するエレメント部と、エレメント部の表面を保護するアプリケーションフィルムと、ガラスに貼り付けられるエレメント部の裏面を保護するセパレーターを有する保護部と、テンプレートとを備え、エレメント部は、アプリケーションフィルムを介して、テンプレートに取り付けられる。
【０００７】
エレメント部をガラスに貼り付ける前に、テンプレートを貼り付けする。
テンプレートの貼り付けは、何度でもやり直しが出来るため、テンプレートは、一度貼り付けした後に貼り直しがやりにくいエレメント部よりも、所望の位置に正確に貼り付けしやすい。
テンプレートを貼り付けて仮固定した状態で、エレメント部の貼り付けを行えば、エレメント部を所望の位置に簡単に貼り付けすることが出来る。
【０００８】
好ましくは、テンプレートの端部であって、ガラスにおける所定の位置決め部に貼り付けられる領域がある側には、位置決め部に位置決めされる位置決め線が設けられ、エレメント部は、位置決め線に対して所定の姿勢でテンプレートに取り付けられる。
【０００９】
位置決め線を使えば、所定の位置決め部との位置合わせが容易に行え、テンプレートを正確な位置に仮固定することが容易に行える。
【００１０】
さらに好ましくは、テンプレートには、位置決め線と平行なｘ方向と垂直なｙ方向若しくは斜め方向に第１折目線が設けられ、第１折目線は、切り込みと、リード罫と、ミシン罫と、切り罫と、押罫の少なくとも１つを有するものであり、テンプレートは、第１折目線よりもエレメント部に近い第１領域と、第１折目線よりもエレメント部から離れた第２領域を有し、第１領域にアプリケーションフィルムを介してエレメント部が取り付けられる。
【００１１】
第１領域を第２領域から引きはがす際に、アプリケーションフィルムをエレメント部から剥がすことが出来る。
このとき、第１領域の一部（例えば、位置決め線がある部分）を持って、第１領域の引き剥がしを実行することが出来るので、アプリケーションフィルムやエレメント部に手を触れずに、アプリケーションフィルムをエレメント部から剥がすことが出来る。
【００１２】
さらに好ましくは、第１領域における位置決め線に近い側のｘ方向の幅が狭く、第１領域における位置決め線から離れた側のｘ方向の幅が広くなるように、テンプレートには、斜め方向に第１折目線が設けられる。
【００１３】
第１領域が、略台形形状に構成出来るため、幅が狭い部分（例えば、位置決め線がある部分）を持ちながら、小さな力で、第１領域の引き剥がしを実行することが出来る。
【００１４】
また、好ましくは、テンプレートは、エレメント部よりも硬いもので構成され、第１折目線を使って第１領域を折り返した時に、エレメント部が、テンプレートにおける第１領域を除く部分の一部と重なり合う。
【００１５】
また、第１折目線を使って、折り返して、第１領域に隣接したエレメント部をテンプレートにおける第１領域を除く部分に対向する位置関係に配置することが可能になる。
これにより、貼り付けを行う前は、テンプレートを使って、エレメント部が折れ曲がったりしないように保護することが可能になる。
【００１６】
また、好ましくは、テンプレートには、ｘ方向に延びる領域を有する第２折目線が設けられ、テンプレートは、テンプレートの表面を構成する図形の重心を含む若しくは第２折目線よりも重心に近い第２領域と、第２折目線よりも重心から離れた第３領域を有し、第１領域の端部であってｙ方向に突出する部分と、第２領域の端部であってｙ方向に突出する部分と、第３領域には、位置決め線が設けられ、第１領域の端部に設けられた位置決め線の延長線上に、第２領域の端部に設けられた位置決め線が配置されるものであり、第３領域に設けられた位置決め線を使って、テンプレートをガラスに貼り合わせる場合は、第３領域は、第１領域や第２領域と同一平面上にあるように配置され、第１領域の端部や第２領域の端部に設けられた位置決め線を使って、テンプレートをガラスに貼り合わせる場合は、第３領域は、第２折目線を使って、テンプレートにおける第３領域を除く部分と対向するように折り返される。
【００１７】
第１領域や第２領域に設けられた位置決め線に加え、第１領域や第２領域と同一平面上に位置し、第２折目線を使って、折り返して、第２領域と対向する位置関係に配置させることが可能な第３領域にも位置決め線が設けられる。
これにより、第１領域や第２領域に設けられた位置決め線を使って、導電端子が非透光領域の近くに位置するように、エレメント部をガラスに貼り付けするだけでなく、第３領域に設けられた位置決め線を使って、導電端子が非透光領域から離れて位置するように、エレメント部をガラスに貼り付けすることも可能になる。
車種によって大きさが異なる非透光領域に合わせて、適切な位置関係でエレメント部を貼り付けすることを容易に出来る。
【００１８】
さらに好ましくは、第２折目線は、カギ型形状で、ｘ方向に延びる領域として、第１左右折目線と第２左右折目線を有し、ｙ方向に延びる領域として、上下折目線を有するものであり、第１左右折目線は、切り込みと、リード罫と、ミシン罫と、切り罫と、押罫の少なくとも１つを有するものであり、第２左右折目線は、切り込みと、リード罫と、ミシン罫と、切り罫の少なくとも１つを有するものであり、上下折目線は、切り込みと、リード罫と、ミシン罫と、切り罫の少なくとも１つを有するものであり、第２左右折目線は、第２領域の端部であって位置決め線がある部分の先端を通り、第１左右折目線よりも重心から離れた位置にあり、上下折目線は、第１左右折目線の端部と、第２左右折目線の端部とを繋ぐものであり、所定の姿勢として、第１左右折目線の延長線上に、導電端子と導電部の境界部分が位置するように、エレメント部がテンプレートに隣接して取り付けられ、第１領域の端部や第２領域の端部に設けられた位置決め線を使って、テンプレートをガラスに貼り合わせる場合は、第１左右折目線が折り曲げられる。
【００１９】
また、好ましくは、セパレーターには、タブが設けられ、タブには、貼り付け手順に関する情報を含む第１表記が設けられ、第１領域には、第１領域を引きはがす手順に関する情報を含む第２表記が設けられ、第２領域には、給電端子部をガラスに貼り付ける手順に関する情報を含む第３表記と、第２領域を引きはがす手順に関する情報を含む第４表記が設けられる。
【００２０】
テンプレートに設けられた第２表記などによって、貼り付け手順を貼り付け作業者に視認させることが可能になる。
テンプレートは、エレメント部や給電端子部の貼り付け完了後にガラスから剥がされるため、エレメント部に第２表記などに相当するものを設ける形態に比べて、大きく目立つように第２表記などを設けることが可能になる。
【００２１】
また、好ましくは、テンプレートには、給電端子部の位置合わせに使用する位置決めマークが設けられ、給電端子部における位置決めマークと対向する位置には、位置決め部が設けられる。
【００２２】
テンプレートに設けられた位置決めマークに給電端子部に設けられた位置決め部を合わせることで、給電端子部のガラスへの貼り付けも容易に行える。
テンプレートは、エレメント部や給電端子部の貼り付け完了後にガラスから剥がされるため、エレメント部に位置決めマークに相当するものを設ける形態に比べて、大きく目立つように位置決めマークを設けることが可能になる。
【００２３】
また、好ましくは、テンプレートの裏面に貼り付け部材が設けられる。
【００２４】
また、好ましくは、テンプレートには、位置決め線と平行なｘ方向に延びる領域を有する第２折目線が設けられ、テンプレートは、テンプレートの表面を構成する図形の重心を含む若しくは第２折目線よりも重心に近い第２領域と、第２折目線よりも重心から離れた第３領域を有し、第２領域の端部であってｘ方向に垂直なｙ方向に突出する部分と、第３領域の端部には、位置決め線が設けられ、第３領域に設けられた位置決め線を使って、テンプレートをガラスに貼り合わせる場合は、第３領域は、第２領域と同一平面上にあるように配置され、第２領域の端部に設けられた位置決め線を使って、テンプレートをガラスに貼り合わせる場合は、第３領域は、第２折目線を使って、テンプレートにおける第３領域を除く部分と対向するように折り返される。
【００２５】
また、好ましくは、エレメント部の端部であって、ガラスにおける所定の位置決め部に貼り付けられる領域がある側には、位置決め部に位置決めされる位置決め線が設けられる。
【００２６】
また、好ましくは、テンプレートの裏面に設けられる貼り付け部材におけるエレメント部が貼り付けられるガラスと対向する面の第１粘着力は、貼り付け部材におけるテンプレートの裏面と対向する面の第２粘着力よりも小さい。
【００２７】
本発明に係る車載フィルムアンテナ装置の貼り付け方法は、給電端子部と、エレメント部と、保護部と、テンプレートを有する車載フィルムアンテナ装置の貼り付け方法であって、エレメント部は、導体パターンが形成された導電部と、導電部や給電端子部と電気的に接続する導電端子を有するものであり、保護部は、エレメント部の表面を保護するアプリケーションフィルムと、エレメント部の裏面を保護するセパレーターを有するものであり、エレメント部は、アプリケーションフィルムを介して、テンプレートに取り付けられ、テンプレートが、ガラスに貼り付けられるテンプレート貼り付けステップと、セパレーターを剥がした後、エレメント部がガラスに貼り付けられるエレメント部貼り付けステップと、アプリケーションフィルムがエレメント部から剥がされる保護フィルム引きはがしステップと、テンプレートのうち、ガラス上に残された部分が、ガラスから引きはがされるテンプレート引きはがしステップを備える。
【００２８】
好ましくは、エレメント部とテンプレートの少なくとも一方の端部であって、ガラスにおける所定の位置決め部に貼り付けられる領域がある側には、位置決め部に位置決めされる位置決め線が設けられ、位置決め線と位置決め部とが位置合わせされた状態で、テンプレート貼り付けステップが行われる。
【００２９】
本発明に係るテンプレートは、車載フィルムアンテナ装置のガラスへの貼り付けに用いるテンプレートであって、車載フィルムアンテナ装置は、導体パターンが形成された導電部と、導電部や給電端子部と電気的に接続する導電端子を有するエレメント部を有し、テンプレートは、エレメント部の表面を保護するアプリケーションフィルムを介して、エレメント部に取り付けられる。
【００３０】
好ましくは、テンプレートの端部であって、ガラスにおける所定の位置決め部に貼り付けられる領域がある側には、位置決め部に位置決めされる位置決め線が設けられる。
【発明の効果】
【００３１】
以上のように本発明によれば、貼り付けが容易な車載フィルムアンテナ装置などを提供することができる。
【図面の簡単な説明】
【００３２】
【図１】本実施形態における、保護部を含むエレメント部と、テンプレートの表面を示す正面図である。
【図２】図１のＡ−Ａ断面構成図である。
【図３】保護部を含むエレメント部と、テンプレートの斜視図であって、第１折目線を使って、第１領域とエレメント部を、折り返した状態を示す図である。
【図４】保護部を含むエレメント部と、テンプレートを示す図であって、第１折目線を使って、保護部を含むエレメント部が、第２領域などと対向する位置関係に折り返した状態を示す正面図である。
【図５】保護部を含むエレメント部と、テンプレートの斜視図であって、第２折目線を使って、第３領域を約６０度程度折り返した状態を示す図である。
【図６】保護部を含むエレメント部と、テンプレートの裏面を示す背面図である。
【図７】第１テンプレート貼り付けステップが完了した状態を示す正面図である。
【図８】第１エレメント部貼り付けステップの途中状態を示す正面図（一部、斜視図）である。
【図９】第１保護フィルム引きはがしステップの途中状態を示す正面図（一部、斜視図）である。
【図１０】第１保護フィルム引きはがしステップが完了した状態を示す正面図である。
【図１１】第１保護フィルム引きはがしステップが完了した状態のエレメント部とテンプレートの一部の斜視図と、組み上げられる前の給電端子部の分解斜視図を組み合わせた図である。
【図１２】第１給電端子部貼り付けステップが完了した状態を示す斜視図である。
【図１３】第１給電端子部貼り付けステップが完了した状態を示す正面図である。
【図１４】第１テンプレート引きはがしステップが完了した状態を示す斜視図である。
【図１５】第１テンプレート引きはがしステップが完了した状態を示す正面図である。
【図１６】第２テンプレート貼り付けステップが完了した状態を示す正面図である。
【図１７】折り曲げステップの途中状態を示す正面図（一部、斜視図）である。
【図１８】第２エレメント部貼り付けステップの途中状態を示す正面図（一部、斜視図）である。
【図１９】第２保護フィルム引きはがしステップの途中状態を示す正面図（一部、斜視図）である。
【図２０】第２給電端子部貼り付けステップが完了した状態を示す正面図である。
【図２１】第２テンプレート引き剥がしステップが完了した状態を示す正面図である。
【図２２】保護部を含むエレメント部と、テンプレートの表面を示す正面図で、第１表記〜第４表記が示された図である。
【図２３】エレメント部に位置決め線が設けられた形態で、保護部を含むエレメント部がテンプレートに取り付けられる前の状態を示す正面図である。
【図２４】エレメント部に位置決め線が設けられた形態で、保護部を含むエレメント部がテンプレートに取り付けられた後の状態を示す正面図である。
【図２５】保護部を含むエレメント部と、アプリケーションフィルムの一部が貼り付けられたテンプレートの斜視図であって、ミシン目で構成された第２折目線を使って、第３領域を約６０度程度折り返した状態を示す図である。
【図２６】図２５のＢ−Ｂ断面構成図である。
【発明を実施するための形態】
【００３３】
以下、本実施形態について、図を用いて説明する。本実施形態における車載アンテナ装置１は、フロントガラスなど車両のガラス９０の室内側に貼り付けられ、エレメント部１０、保護部２０、テンプレート３０、給電端子部５０を備える（図１〜図２２、図２５、図２６参照）。
【００３４】
エレメント部１０と給電端子部５０とが、フィルムアンテナを構成する。
保護部２０は、エレメント部１０がガラス９０に貼り付けられる前段階でエレメント部１０の表面と裏面を保護するために用いられ、貼り付け時にエレメント部１０から剥がされる（図８と図１８のエレメント部貼り付けステップ、図９と図１９の保護フィルム引きはがしステップ参照）。
テンプレート３０は、エレメント部１０や給電端子部５０をガラス９０に貼り付ける際の位置決めするためにガラス９０に貼り付けられ（図７と図１６のテンプレート貼り付けステップ参照）、エレメント部１０や給電端子部５０の貼付完了後は、ガラス９０から剥がされる。
【００３５】
エレメント部１０は、基材１１、導体パターンが形成された導電部（アンテナ導体）１３、導電端子１５、保護膜１７を有する（図２参照）。
保護部２０は、セパレーター（裏面保護シート）２１、アプリケーションフィルム（表面保護シート）２３を有する。
テンプレート３０は、位置決め線３１、第１折目線３３ａ、第２折目線３３ｂ、第１領域（エレメント接続領域）３５ａ、第２領域（ガラス貼付領域）３５ｂ、第３領域（折り返し領域）３５ｃ、位置決めマーク３７、エレメント接続部材４１、第１貼り付け部材４３を有する。
給電端子部５０は、ケース５１、基板５３、ケーブル５５、ベース５７、第１弾性部材５９ａ、第２弾性部材５９ｂ、ホルダー６１、アースプレート６３、第２貼り付け部材６５を有する（図１１参照）。
【００３６】
次に、各部の詳細について説明する。
【００３７】
方向を説明するため、エレメント部１０とテンプレート３０とが並べられる左右方向がｘ方向であり、エレメント部１０やテンプレート３０の平面上で当該左右方向と垂直な上下方向がｙ方向であるとして説明する。
また、エレメント部１０やテンプレート３０の平面における車両のガラス９０と対向する側の面を裏面とし、当該裏面と反対側の面を表面とし、当該平面に垂直な表裏方向がｚ方向であるとして説明する。
エレメント部１０やテンプレート３０が正しくガラス９０に貼り付けされた場合に、ｘ方向は、車両のガラス９０における黒セラミック若しくは黒セラミックドットなどで構成された非透光領域９１と透光領域９３との境界線９２であって、エレメント部１０とテンプレート３０の少なくとも一方の端部が貼り付けられる領域にあるものと平行な位置関係になる。また、ｙ方向は、エレメント部１０の長手方向である。
なお、図７〜図２１では、非透光領域９１を斜め格子線で表している。
【００３８】
エレメント部１０と保護部２０の構成について説明する。
【００３９】
基材１１は、電気絶縁性を有する透明なフィルムで、基材１１の表面に配設する導電部１３の導体パターンを保持する形状（例えば、帯状、矩形形状、略Ｌ字形状など）を有する。
本実施形態では、導電部１３が略J字形状の導体パターンを有する例を示すが、二本線やループ状など別の導体パターンを有する形態であってもよい。
また、導電部１３は、きわめて細い導線を網目状にして視認できないように形成した導体パターンを有する形態であってもよい。
導電部１３の導体パターンの全長が、車載アンテナ装置１で受信する電波の波長λの１／４以上になるように、基材１１の長手方向（ｙ方向）の寸法（約９５ｍｍ）が決定される。
基材１１の端部の表面には、導電部１３の一端に設けられていて給電端子部５０と電気的に接続する導電端子１５が配設される。
【００４０】
保護膜１７は、電気絶縁性を有する透明な材料で、基材１１に配設された導電部１３を保護するために設けられ、導電端子１５が配設された部分を除き、基材１１とほぼ同じ形状を有する。
基材１１の裏面には、エレメント部１０をガラス９０に貼り付けるために接着剤が塗布されている。
基材１１の表面には、基材１１とで導電部１３を挟むようにして保護膜１７が設けられ、基材１１の裏面（ガラス９０と対向する側の面）には、セパレーター２１が貼り付けられる。
保護膜１７の表面には、アプリケーションフィルム２３が貼り付けられる。
セパレーター２１やアプリケーションフィルム２３は、エレメント部１０をガラス９０に貼り付ける際に取り外しされる。
セパレーター２１は、基材１１の裏面を保護するために用いられ、アプリケーションフィルム２３は、基材１１や保護膜１７の表面を保護するために用いられ、いずれも透明なフィルムで、基材１１とほぼ同じ形状を有する。
基材１１の表面における導電端子１５が配設された部分は、保護膜１７で覆われず、直接アプリケーションフィルム２３が貼り付けられる。
【００４１】
なお、本実施形態では、給電端子部５０に設けられたアースプレート６３がアンテナアースとして機能する形態を説明するが、基材１１が略Ｌ字形状などを有し、当該略Ｌ字形状の基材１１における導電部１３が配設された領域とは別の領域にアンテナアースに相当する金属材料（金属被膜、導電塗料）などが配設される形態であってもよい。
【００４２】
テンプレート３０の構成について説明する。
【００４３】
テンプレート３０は、厚紙など、エレメント部１０よりも硬い材質のもので構成され、アプリケーションフィルム２３とエレメント接続部材４１を介して、エレメント部１０に取り付けられる。
正面から見て、テンプレート３０におけるエレメント部１０と隣接する側の端部を右側部、右側部と反対側の端部を左側部、ガラス９０における所定の位置決め部（非透光領域９１と透光領域９３との境界線９２）に貼り付けられる領域がある側の端部を上部、上部と反対側の端部を下部であるとして説明する。
テンプレート３０は、導電部１３が設けられた領域を含むエレメント部１０よりも、長手方向（ｙ方向）の長さが長く、且つ短手方向（ｘ方向）の長さが長い、略矩形形状を有する。
【００４４】
テンプレート３０の上部には、ｘ方向に平行な位置決め線３１が複数設けられる。
エレメント部１０をガラス９０に貼り付ける前に、位置決め線３１の一つが、ガラス９０上の所定の位置決め部、ここでは、非透光領域９１の端部（ガラス９０の透光領域９３との境界線９２）を構成する線と重なるようにして、テンプレート３０がガラス９０に貼り付けられる。
複数の位置決め線３１のうち、下方の線が、境界線９２と重なるようにして、テンプレート３０がガラス９０に貼り付けされた場合には、導電端子１５が非透光領域９１の近く、あるいは非透光領域９１上に位置するように、エレメント部１０がガラス９０に貼り付けられる（図７〜図１５参照）。
一方、複数の位置決め線３１のうち、上部の端部に近い線が、境界線９２と重なるようにして、テンプレート３０がガラス９０に貼り付けされた場合には、導電端子１５が非透光領域９１から離れて位置するように、エレメント部１０がガラス９０に貼り付けられる（図１６〜図２１参照）。
【００４５】
なお、位置決め線３１とでテンプレート３０のガラス９０への位置合わせに使用されるガラス９０上の所定の位置決め部は、境界線９２を構成する線に限らず、位置決め用の目印を含む他の領域であってもよい。
【００４６】
テンプレート３０には、２つの折目線（第１折目線３３ａ、第２折目線３３ｂ）が設けられ、テンプレート３０は、当該２つの折目線によって、第１折目線３３ａよりも右側（エレメント部１０に近い側）の第１領域（エレメント接続領域）３５ａと、第１折目線３３ａよりも左側（エレメント部１０から遠い側）で第２折目線３３ｂよりも下側（テンプレート３０の表面を構成する平面図形の重心Ｐを含む、若しくは第２折目線３３ｂよりも重心Ｐに近い側）の第２領域（ガラス貼付領域）３５ｂと、第２折目線３３ｂよりも上側（第２折目線３３ｂよりも重心Ｐから離れた側）の第３領域（折り返し領域）３５ｃの３つの領域に分けられる。
第２領域３５ｂは、テンプレート３０をガラス９０に貼り付けた時に、ガラス９０の非透光領域９１から離れた位置にあり、第３領域３５ｃは、テンプレート３０をガラス９０に貼り付けた時に、ガラス９０の非透光領域９１に近い位置にある。
【００４７】
なお、本実施形態における重心Ｐは、第２領域３５ｂと第３領域３５ｃの位置関係を示すために使用されるものであり、重心Ｐの位置を示すために、図１にだけ、黒丸で重心Ｐを示すが、実際のテンプレート３０には重心Ｐを示す黒丸は表記されない。
【００４８】
第１折目線３３ａは、直線状で、ｙ方向若しくは、斜め方向（例えば、当該ｙ方向とのなす角度θが４５度以下の斜め方向）に延びる。
本実施形態では、第１折目線３３ａは、エレメント部１０の導電端子１５と導電部１３の境界近傍から左斜め下方向に延びる斜め切り込み、すなわち、第１領域３５ａにおける位置決め線３１（第１位置決め線３１ａ）に近い側のｘ方向の幅が狭く、第１領域３５ａにおける位置決め線（第１位置決め線３１ａ）から離れた側のｘ方向の幅が広くなるような斜め切り込みを有する。当該斜め切り込みには、上方と下方にそれぞれ１つずつ第１領域３５ａと第２領域３５ｂの接続領域３４が設けられ、この接続領域３４は、第１領域３５ａを第２領域３５ｂから引きはがすことが出来るように、第１領域３５ａを引っ張ったときに第２領域３５ｂから切り離される程度の幅に形成されている。
【００４９】
第１折目線３３ａは、当該斜め切り込みと接続領域３４とで構成される形態に代えて、リード罫、ミシン罫、切り罫、押罫のいずれか、若しくは、これらの組み合わせで構成される形態であってもよい（図２５参照）。
【００５０】
第２折目線３３ｂは、カギ型形状で、ｘ方向に延びる領域とｙ方向に延びる領域を有する。
本実施形態では、第２折目線３３ｂは、ｘ方向に延びる領域として、右側部（エレメント部１０の導電端子１５と導電部１３の境界近傍）から左方向に延びる第１左右折目線３３ｂ１と、第１左右折目線３３ｂ１よりも上部に近く左側部から右方向に延びる第２左右折目線３３ｂ２を有し、ｙ方向に延びる領域として、ｙ方向に延び第１左右折目線３３ｂ１の左端部と第２左右折目線３３ｂ２の右端部とを繋ぐ上下折目線３３ｂ３を有する（図１参照）。
第２左右折目線３３ｂ２は、切り込みで構成され、第１左右折目線３３ｂ１よりも重心Ｐから離れた位置にある。
第１左右折目線３３ｂ１には、両端部に切り込みが設けられ、当該両端部の切り込みの間に第２領域３５ｂと第３領域３５ｃの接続領域３４が設けられる。
第１左右折目線３３ｂ１は、給電端子部５０の位置合わせにも使用される。
上下折目線３３ｂ３は、切り込みで構成される。
【００５１】
なお、第１左右折目線３３ｂ１は、切り込みと接続領域３４とで構成される形態に代えて、リード罫、ミシン罫、切り罫、押罫のいずれか、若しくは、これらの組み合わせで構成される形態であってもよい。
第２左右折目線３３ｂ２と上下折目線３３ｂ３は、切り込みで構成される形態に代えて、リード罫、ミシン罫、切り罫のいずれか、若しくは、これらの組み合わせで構成される形態であってもよい。
第１領域３５ａや第２領域３５ｂの位置決め線３１（第１位置決め線３１ａ、第２位置決め線３１ｂ）を使って、テンプレート３０をガラス９０に貼り合わせる場合は、第２左右折目線３３ｂ２と上下折目線３３ｂ３で第２領域３５ｂと第３領域３５ｃが切り離され、第１左右折目線３３ｂ１が折り曲げられる（図５参照）。
【００５２】
第２折目線３３ｂよりも上部（重心Ｐから離れた側）に、略Ｌ字形状の第３領域（折り返し領域）３５ｃが形成される。
第１折目線３３ａとエレメント部１０の間に、略台形形状の第１領域（エレメント接続領域）３５ａが形成される。
テンプレート３０における第１領域３５ａと第３領域３５ｃを除く領域（エレメント部１０から離れ、重心Ｐを含む若しくは第２折目線３３ｂよりも重心Ｐに近い領域）である第２領域（ガラス貼付領域）３５ｂは、略台形形状に略矩形形状が加えられた形状を有する。第２領域３５ｂの略矩形形状の部分には位置決め線３１（第２位置決め線３１ｂ）が形成される。
【００５３】
位置決め線３１は、第１領域３５ａの端部であってｙ方向上側に突出する部分、第２領域３５ｂの端部であってｙ方向上側に突出する部分、第３領域３５ｃに設けられる。
第１領域３５ａの端部に設けられた位置決め線３１（第１位置決め線３１ａ）の延長線上に、第２領域３５ｂの端部に設けられた位置決め線３１（第２位置決め線３１ｂ）が配置される。
第３領域３５ｃに設けられた位置決め線３１（第３位置決め線３１ｃ）は、第１位置決め線３１ａと第２位置決め線３１ｂよりも、上部に配置される。
第１領域３５ａに設けられた位置決め線（第１位置決め線３１ａ）と第２領域３５ｂに設けられた位置決め線（第２位置決め線３１ｂ）が、境界線９２と重なるようにして、テンプレート３０の貼付が行われた場合には、導電端子１５が非透光領域９１に近く、または、非透光領域９１上に位置するように、エレメント部１０が貼り付けられる（図７〜図１５参照）。
この場合、第２折目線３３ｂを使って、第３領域３５ｃの表面が、テンプレート３０における第３領域３５ｃを除く部分（第２領域３５ｂ）の表面と対向するように、第３領域３５ｃを折り返した状態で、テンプレート３０や給電端子部５０の貼付が行われる。
【００５４】
第３領域３５ｃに設けられた位置決め線（第３位置決め線３１ｃ）が、境界線９２と重なるようにして、テンプレート３０の貼付が行われた場合には、導電端子１５が非透光領域９１から離れて位置するように、エレメント部１０が貼り付けられる（図１６〜図２１参照）。
この場合、第３領域３５ｃは折り返さずに、第１領域３５ａや第２領域３５ｂと同一平面上に配置された状態で、テンプレート３０の貼付が行われ、テンプレート３０の貼付後に第３領域３５ｃの表面が、テンプレート３０における第３領域３５ｃを除く部分（第２領域３５ｂ）の表面と対向するように、第３領域３５ｃを折り返した状態で、給電端子部５０の貼付が行われる。
【００５５】
位置決めマーク３７は、例えば、第２領域３５ｂにおける第１左右折目線３３ｂ１が設けられた領域であって、且つ第３領域３５ｃと重ならない位置に設けられ、給電端子部５０のホルダー６１に設けられた位置決め部６１ｄと重ね合わせて、給電端子部５０の位置合わせを行うために用いられる。
位置決めマーク３７は、印刷により形成される形態でも良いが、本実施形態のように第１左右折目線３３ａ１の一部に三角形など所定の形状の切り込みで形成される形態であってもよい。
位置決め部６１ｄと位置決めマーク３７とが重なるようにして、給電端子部５０をガラス９０に貼り付けた時に、給電端子部５０と第２位置決め線３１ｂとが重ならないように、すなわち、位置決めマーク３７と第２位置決め線３１ｂの右端との距離が、位置決め部６１ｄと給電端子部５０の左端（貼り付け時に第２位置決め線３１ｂに近い側の端部）との距離よりも長くなるように、各部の寸法や位置が決定される。
【００５６】
なお、位置決めマーク３７は、第３領域３５ｃにおける第１左右折目線３３ｂ１が設けられた領域に設けられる形態であってもよい。この場合であって、位置決めマーク３７を印刷により形成される場合には、位置決めマーク３７はテンプレート３０（第３領域３５ｃ）の裏面に設けられる。
【００５７】
片面テープなどで構成されたエレメント接続部材４１は、エレメント部１０の表面に貼り付けられたアプリケーションフィルム２３の表面と、第１領域３５ａの表面とに貼り付けられ、エレメント部１０とテンプレート３０とを接続した状態にするために用いられる。
第１位置決め線３１ａがある部分などをつまんで、第１領域３５ａを第２領域３５ｂから切り離す際に、エレメント接続部材４１を介して接続されたアプリケーションフィルム２３はエレメント部１０から切り離される（図９、図１９参照）
【００５８】
第１貼り付け部材４３は、両面テープや粘着剤などで構成され、第２領域３５ｂの裏面に設けられ、第２領域３５ｂをガラス９０の透光領域９３に一時的に貼り付けるために用いられる。
第１貼り付け部材４３は、セパレーター２１を剥がしてエレメント部１０をガラス９０に貼り付ける前にガラス９０に貼り付けられ、エレメント部１０をガラス９０に貼り付け、さらに給電端子部５０をガラス９０に貼り付けた後にガラス９０から剥がされる。
給電端子部５０をガラス９０に貼り付けした後に、第１貼り付け部材４３がガラス９０に残らない状態で、ガラス９０から第２領域３５ｂを含むテンプレート３０を剥がしやすくするため、第１貼り付け部材４３におけるガラス９０と対向する面の第１粘着力Ｐ１は、第１貼り付け部材４３における第２領域３５ｂの裏面と対向する面の第２粘着力Ｐ２よりも小さい（Ｐ１≒５．４Ｎ／２０ｍｍ、Ｐ２≒７．５Ｎ／２０ｍｍ）ことが望ましい。
【００５９】
第１折目線３３ａを使って第１領域３５ａを折り返して、エレメント部１０が第２領域３５ｂや第３領域３５ｃと対向する位置関係にした時に、ｚ方向から見て、エレメント部１０が、テンプレート３０における第１領域３５ａを除く部分（第２領域３５ｂ、第３領域３５ｃ）の一部と重なり合うように、第１折目線３３ａの位置やテンプレート３０の寸法が決定される。
輸送時などエレメント部１０をガラス９０に貼り付ける前は、エレメント部１０を保護するため、第１折目線３３ａを使って第１領域３５ａを折り返して、エレメント部１０が第２領域３５ｂや第３領域３５ｃと対向する位置関係にした状態にされるのが望ましい（図４参照）。
【００６０】
給電端子部５０の構成について説明する。
【００６１】
ケース５１は、ガラス９０と対向する面が開口する略直方体形状を有し、基板５３、ベース５７、第１弾性部材５９ａ、第２弾性部材５９ｂを、ガラス９０から離れた側から覆う。
ケース５１の側面には、凸部５１ａが設けられ、給電端子部５０の組み立て時にホルダー６１に設けられた穴（係合部６１ｃ）と係合する。
基板５３は、アンテナアンプなど、導電部１３をアンテナ素子として機能させるための回路を有する。
【００６２】
ケーブル５５は、同軸ケーブルであって、芯線（内部導体）および編組線（外部導体）が基板５３のアンプ回路に接続され、基板５３に含まれるアンテナアンプに電力を供給したり、導電部１３で得られた信号を出力したりするために使用される。
ベース５７は、ケース５１とで、基板５３を挟む非導電性の板状部材で、第１弾性部材５９ａと第２弾性部材５９ｂとが貫通する穴若しくは切り欠き（第１切り欠き５７ａ、第２切り欠き５７ｂ）を有する。
【００６３】
第１弾性部材５９ａは、導電性の板を略Ｓ字状に折り曲げてバネ性を有するように形成された部材で、基板５３のアンプ回路のアース側（ケーブル５５の編組線（外部導体）が接続されるパターン）に半田付け等によって接続され、基板５３とアースプレート６３の電気的な接続のために使用される。
第２弾性部材５９ｂは、導電性の板を略Ｓ字状に折り曲げてバネ性を有するように形成された部材で、基板５３のアンプ回路の入力側（ケーブル５５の芯線（内部導体）が接続されるパターン）に半田付け等によって接続され、基板５３と導電端子１５の電気的な接続のために使用される。
【００６４】
ホルダー６１は、ガラス９０と対向する面と反対側の面が開口する略直方体形状を有し、基板５３、ベース５７、第１弾性部材５９ａ、第２弾性部材５９ｂを、ガラス９０に近い側から覆う。
ホルダー６１におけるガラス９０と対向する面には、第１弾性部材５９ａと第２弾性部材５９ｂが貫通する穴（第１穴６１ａ、第２穴６１ｂ）が設けられる。
ホルダー６１の側面には、ケース５１の凸部５１ａと係合する穴（係合部６１ｃ）が設けられる。
ホルダー６１の側面であって、取り付け時に、導電部１３やテンプレート３０の第２領域３５ｂなどがある側の面の底部であって位置決めマーク３７と対向する位置には、位置決め部６１ｄが設けられ、位置決め部６１ｄがテンプレート３０の位置決めマーク３７と略重なるように、給電端子部５０がガラス９０に貼り付けられる。
本実施形態では、位置決め部６１ｄが凸型形状で構成された例を示すが、凹型など別の形状や凹凸の無いマークで構成される形態であってもよい。
【００６５】
ケース５１とホルダー６１の長手方向（ｘ方向）は、車載アンテナ装置１で受信する電波の波長λの１／８以下の寸法（約５８ｍｍ）を有する。
【００６６】
ホルダー６１におけるガラス９０と対向する面には、アースプレート６３が取り付けられる。
アースプレート６３は、アンテナ素子（導電部１３）のアースとして必要な全長と幅を有する帯状の導体パターンにより所定の形状に形成される導電性の板状部材である。
アースプレート６３は、当該導体パターンとして、例えば、Ｃ型状、Ｌ型状、Ｕ型状、Ｊ型状、ミアンダ状、Ｏ型状に形成される。
アースプレート６３を形成する導体パターンの端部の一方近傍などに第１弾性部材５９ａが接触し、当該導体パターンが形成されない領域に第２弾性部材５９ｂが位置するように（第２弾性部材５９ｂがアースプレート６３に接触しないように）、導体パターンの形状、第１弾性部材５９ａや第２弾性部材５９ｂの位置が決定される。
【００６７】
アースプレート６３における外縁には、ホルダー６１と対向する側に切り起こされた複数の係合突起６３ａが設けられる。
アースプレート６３を載置した鋳型に溶融したホルダー６１の材料を流し込んで、ホルダー６１を形成する。このとき、ホルダー６１の材料が係合突起６３ａやアースプレート６３の表面と密着した状態でホルダー６１が形成される。
【００６８】
第２貼り付け部材６５は、両面テープや粘着剤などで構成され、アースプレート６３のガラス９０と対向する側の面に設けられ、アースプレート６３を含む給電端子部５０をガラス９０に貼り付けるために用いられる。
第２貼り付け部材６５には、第２弾性部材５９ｂが貫通する領域（第３切り欠き６５ａ）が設けられる。
【００６９】
第１弾性部材５９ａは、第１切り欠き５７ａと第１穴６１ａを介して、基板５３とアースプレート６３に挟まれ、第１弾性部材５９ａの付勢力によって、基板５３とアースプレート６３とが電気的に接続した状態にされる。
第２弾性部材５９ｂは、第２切り欠き５７ｂと第２穴６１ｂと第３切り欠き６５ａを介して、給電端子部５０におけるガラス９０と対向する側の面から突出し、給電端子部５０をガラス９０に貼り付ける際に、基板５３と先にガラス９０に貼り付けられたエレメント部１０の導電端子１５とに挟まれ、第２弾性部材５９ｂの付勢力によって、基板５３と導電端子１５とが電気的に接続した状態にされる。
【００７０】
次に、貼り付け作業者が、車載アンテナ装置１を非透光領域９１の近いところに貼り付けする手順について説明する（図７〜図１５参照）。
【００７１】
エレメント部１０には、予め保護部２０が貼り付けられており、保護部２０を含むエレメント部１０は、エレメント接続部材４１を介して、テンプレート３０に接続されている。
【００７２】
エレメント部１０はテンプレート３０に対して位置決めされて取り付けられる。すなわち、エレメント部１０は、位置決め線３１に対して所定の姿勢（位置や方向を含む位置関係）になるようにテンプレート３０に取り付けられる。保護部２０を含むエレメント部１０と、テンプレート３０との位置合わせは、特別な治具を使って、若しくは作業者の目視と手作業によって行われる。
本実施形態では、位置決め線３１に対する所定の姿勢として、導電端子１５と導電部１３の境界部分を第１位置決め線３１ａのいずれか一つ（本実施形態では、テンプレート３０の重心Ｐに最も近いもの）や第１左右折目線３３ｂ１の延長線上に合わせた状態で、エレメント接続部材４１をアプリケーションフィルム２３や第１領域３５ａに貼り付け、エレメント部１０とテンプレート３０との位置合わせが行われる。
【００７３】
また、第１折目線３３ａを使って第１領域３５ａを折り返して、エレメント部１０が第２領域３５ｂや第３領域３５ｃと対向する位置関係にした状態にされている場合には、折り返す前の状態（第１領域３５ａが第２領域３５ｂや第３領域３５ｃと同一平面上にある状態）にされる（同一平面化ステップ）。
【００７４】
第３領域３５ｃの表面が第２領域３５ｂの表面と対向するように、テンプレート３０が、第２折目線３３ｂを使って折り曲げられ、第１位置決め線３１ａと第２位置決め線３１ｂが境界線９２と重なるように位置合わせされた状態で、テンプレート３０が、第１貼り付け部材４３を介して、ガラス９０に貼り付けられる（第１テンプレート貼り付けステップ、図７参照）。
【００７５】
エレメント部１０の裏面に貼り付けられたセパレーター２１を剥がした後、エレメント部１０が、ガラス９０に貼り付けられる（第１エレメント部貼り付けステップ、図８参照）。
エレメント部１０は、エレメント接続部材４１とアプリケーションフィルム２３を介して、テンプレート３０に位置決めされて接続しているため、テンプレート３０をガラス９０上の所定の位置に貼り付けることが出来れば、エレメント部１０をガラス９０上の当該所定の位置から一定距離離れ且つ所定の姿勢になるように位置決めされた状態で貼り付けることが出来る。
また、エレメント部１０は全長に亘ってアプリケーションフィルム２３を介してテンプレート３０（第１領域３５ａ）に接続されているため、曲がることなく真っ直ぐな状態のままガラス９０に貼り付けることが出来る。
【００７６】
第１領域３５ａにおける第１位置決め線３１ａがある部分をつまむなどして、第１領域３５ａを第２領域３５ｂに対して引っ張って、第１領域３５ａと第２領域３５ｂとを接続する２つの接続領域３４を引きちぎることで、第１領域３５ａが第２領域３５ｂから引きはがされる（第１保護フィルム引きはがしステップ、図９、図１０参照）。
アプリケーションフィルム２３は、エレメント接続部材４１を介して、第１領域３５ａに接続しているため、第１領域３５ａが第２領域３５ｂから剥がされる際に、アプリケーションフィルム２３は、エレメント部１０から剥がされる。
【００７７】
ガラス９０に貼り付けられた第２領域３５ｂの位置決めマーク３７に位置決め部６１ｄが重なり且つ第２位置決め線３１ｂにおけるテンプレート３０の重心Ｐに最も近いもの（第１左右折目線３３ｂ１の延長線）にホルダー６１の下端（ホルダー６１の底面における位置決め部６１ｄが設けられた端部）が重なるように位置合わせされた状態、すなわち、第２弾性部材５９ｂが導電端子１５に接触するように位置合わせされた状態で、第２貼り付け部材６５を介して、給電端子部５０がガラス９０に貼り付けられる（第１給電端子部貼り付けステップ、図１１〜図１３参照）。
【００７８】
図１１は、給電端子部５０が組み上げられる前の分解斜視図を示すが、取り付けの際には、給電端子部５０が組み上げられた状態で、ガラス９０への貼り付けが行われる。
【００７９】
第２領域３５ｂや第３領域３５ｃなど、テンプレート３０のうち、ガラス９０上に残された部分が、ガラス９０から引きはがされる（第１テンプレート引きはがしステップ、図１４、図１５参照）。
【００８０】
次に、貼り付け作業者が、車載アンテナ装置１を非透光領域９１から離れたところに貼り付けする手順について説明する（図１６〜図２１参照）。
【００８１】
第３領域３５ｃを第１領域３５ａや第２領域３５ｂと同一平面上にあり、第３位置決め線３１ｃが境界線９２と重なるように位置合わせされた状態で、テンプレート３０が、第１貼り付け部材４３を介して、ガラス９０に貼り付けられる（第２テンプレート貼り付けステップ、図１６参照）。
【００８２】
第３領域３５ｃの表面が第２領域３５ｂの表面と対向するように、テンプレート３０が、第２折目線３３ｂを使って折り曲げられる（折り曲げステップ、図１７参照）。
【００８３】
エレメント部１０の裏面に貼り付けられたセパレーター２１を剥がした後、エレメント部１０が、ガラスに貼り付けられる（第２エレメント部貼り付けステップ、図１８参照）。
第１領域３５ａにおける第１位置決め線３１ａがある部分をつまむなどして、第１領域３５ａが第２領域３５ｂから引きはがされ、アプリケーションフィルム２３がエレメント部１０から剥がされる（第２保護フィルム引きはがしステップ、図１９参照）。
【００８４】
ガラス９０に貼り付けられた第２領域３５ｂの位置決めマーク３７に位置決め部６１ｄが重なり且つ第２位置決め線３１ｂにおけるテンプレート３０の重心Ｐに最も近いもの（第１左右折目線３３ｂ１の延長線）にホルダー６１の下端（ホルダー６１の底面における位置決め部６１ｄが設けられた端部）が重なるように位置合わせされた状態、すなわち、第２弾性部材５９ｂが導電端子１５に接触するように位置合わせされた状態で、第２貼り付け部材６５を介して、給電端子部５０がガラス９０に貼り付けられる（第２給電端子部貼り付けステップ、図２０参照）。
【００８５】
第２領域３５ｂや第３領域３５ｃなど、テンプレート３０のうち、ガラス９０上に残された部分が、ガラス９０から引きはがされる（第２テンプレート引きはがしステップ、図２１参照）。
【００８６】
エレメント部１０をガラス９０に貼り付ける前に、エレメント部１０よりも硬く幅が広いテンプレート３０を貼り付けする。
テンプレート３０は、エレメント部１０よりも硬く幅が広いため、貼り付けが容易である。
また、テンプレート３０の貼り付けは、何度でもやり直しが出来るため、テンプレート３０は、一度貼り付けした後に貼り直しがやりにくいエレメント部１０よりも、所望の位置に正確に貼り付けしやすい。
テンプレート３０を貼り付けて仮固定した状態で、エレメント部１０の貼り付けを行えば、エレメント部１０を所望の位置に簡単に貼り付けすることが出来る。
【００８７】
ｘ方向に平行な位置決め線３１を使えば、境界線９２などガラス９０上の所定の位置決め部との位置合わせが容易に行え、テンプレート３０を正確な位置に仮固定することが容易に行える。
【００８８】
保護フィルム引きはがしステップで、第１領域３５ａを第２領域３５ｂから引きはがす際に、エレメント接続部材４１を介して、アプリケーションフィルム２３をエレメント部１０（の保護膜１７）から剥がすことが出来る。
このとき、第１領域３５ａの一部（例えば、第１位置決め線３１ａがある部分）を持って、保護フィルム引きはがしステップを実行することが出来るので、アプリケーションフィルム２３やエレメント部１０に手を触れずに、アプリケーションフィルム２３をエレメント部１０から剥がすことが出来る。
【００８９】
また、第１領域３５ａが、略台形形状に構成出来るため、幅が狭い部分（例えば、第１位置決め線３１ａがある部分）を持ちながら、小さな力で、保護フィルム引きはがしステップを実行することが出来る。
【００９０】
また、第１折目線３３ａを使って、折り返して、第１領域３５ａに隣接したエレメント部１０をテンプレート３０における第１領域３５ａを除く部分に対向する位置関係に配置することが可能になる。
これにより、貼り付けを行う前は、テンプレート３０を使って、エレメント部１０が折れ曲がったりしないように保護することが可能になる。
【００９１】
第１領域３５ａや第２領域３５ｂに設けられた位置決め線（第１位置決め線３１ａ、第２位置決め線３１ｂ）に加え、第１領域３５ａや第２領域３５ｂと同一平面上に位置し、第２折目線３３ｂを使って、折り返して、第２領域３５ｂと対向する位置関係に配置させることが可能な第３領域３５ｃにも位置決め線（第３位置決め線３１ｃ）が設けられる。
これにより、第１位置決め線３１ａや第２位置決め線３１ｂを使って、導電端子１５が非透光領域９１の近くに位置するように、エレメント部１０をガラス９０に貼り付けするだけでなく、第３位置決め線３１ｃを使って、導電端子１５が非透光領域９１から離れて位置するように、エレメント部１０をガラス９０に貼り付けすることも可能になる。
車種によって大きさが異なる非透光領域９１に合わせて、適切な位置関係でエレメント部１０を貼り付けすることを容易に出来る。
【００９２】
また、テンプレート３０に設けられた位置決めマーク３７に給電端子部５０に設けられた位置決め部６１ｄを合わせることで、給電端子部５０のガラス９０への貼り付けも容易に行える。
テンプレート３０は、エレメント部１０や給電端子部５０の貼り付け完了後にガラス９０から剥がされるため、エレメント部１０に位置決めマーク３７に相当するものを設ける形態に比べて、大きく目立つように位置決めマーク３７を設けることが可能になる。
【００９３】
また、本実施形態では、エレメント接続部材４１がテンプレート３０の表面とアプリケーションフィルム２３の表面に貼り付けられ、これにより、エレメント部１０が、アプリケーションフィルム２３を介して、テンプレート３０に取り付けられる形態を説明したが、エレメント接続部材４１を省略し、アプリケーションフィルム２３の一部（エレメント部１０よりもテンプレート３０がある側に突出した領域）がテンプレート３０（第１領域３５ａ）の表面に貼り付けられる形態であってもよい（図２５、図２６参照）。
【００９４】
また、テンプレート３０などには、貼り付け手順を示す説明を表記する形態であってもよい（図２２参照）。
【００９５】
セパレーター２１には、ｘ方向に突出するタブ２１ａが設けられ、当該タブ２１ａに、貼り付け手順に関する情報（第１エレメント部貼り付けステップや第２エレメント部貼り付けステップの順番に関する情報）を含む第１表記４８ａ「１（図２２上はローマ数字で表記）」が設けられる。
テンプレート３０の第１領域３５ａには、第１領域３５ａを第２領域３５ｂから引きはがす手順に関する情報（第１保護フィルム引きはがしステップや第２保護フィルム引きはがしステップの要領に関する情報）を含む第２表記４８ｂ「２（図２２上はローマ数字で表記）  フィルムをガラスに貼り付けた後に矢印の方向に剥がしてください。」が設けられる。
テンプレート３０の第２領域３５ｂの上方には、給電端子部５０をガラス９０に貼り付ける手順に関する情報（第１給電端子部貼り付けステップや第２給電端子部貼り付けステップの要領に関する情報）を含む第３表記４８ｃ「このラインにホルダーの下端を合わせて貼り付けしてください。」が設けられる。
テンプレート３０の第２領域３５ｂの下方には、第２領域３５ｂをガラス９０から引きはがす手順に関する情報（第１テンプレート引きはがしステップや第２テンプレート引きはがしステップの要領に関する情報）を含む第４表記４８ｄ「３（図２２上はローマ数字で表記）  ホルダーを貼り付けた後に剥がしてください。」が設けられる。
【００９６】
第１表記４８ａ〜第４表記４８ｄの表記内容は、一例であり、他の内容であってもよいし、車載アンテナ装置１の仕向地に合わせた言語で表記する形態であってもよい。
なお、図２２は、第１表記４８ａ〜第４表記４８ｄを強調するため、各部材の番号の表記のいくつかを省略している。また、図２２で記載された矢印は、実際にテンプレート３０の上に表記されるものを示している。
【００９７】
テンプレート３０に設けられた第２表記４８ｂ〜第４表記４８ｄなどによって、貼り付け手順を貼り付け作業者に視認させることが可能になる。
テンプレート３０は、エレメント部１０や給電端子部５０の貼り付け完了後にガラス９０から剥がされるため、エレメント部１０に第２表記４８ｂなどに相当するものを設ける形態に比べて、大きく目立つように第２表記４８ｂなどを設けることが可能になる。
【００９８】
本実施形態では、テンプレート３０に位置決め線３１が設けられる形態を説明したが、エレメント部１０に位置決め線３１が設けられる形態であってもよい（図２３、図２４参照）。
【００９９】
具体的には、エレメント部１０の上部（エレメント部１０における導電端子１５がある領域、若しくは導電端子１５がある領域よりも上方の端部に近い側（導電部１３がある側と反対側））に、ｘ方向に平行な位置決め線３１が設けられる。
図２３、図２４は、導電端子１５がある領域よりも上方の端部に近い側に位置決め線３１が設けられる例を示す。
【０１００】
ガラス９０上の所定の位置決め部（非透光領域９１の端部を構成する線など）との重ね合わせをしやすくするために、エレメント部１０における位置決め線３１が設けられた領域は、導電部１３が設けられた領域よりもｘ方向の幅が広い矩形形状領域１０ａを有する。
テンプレート３０は、エレメント部１０における幅が広い矩形形状領域１０ａの外形の一部を隣接させるために矩形形状に切り欠きされた領域３０ａを有する。
【０１０１】
切り欠きされた領域３０ａにエレメント部１０における幅が広い矩形形状領域１０ａの端部を合わせることにより、保護部２０を含むエレメント部１０をテンプレート３０に繋げる際の位置合わせを容易に出来る。
【０１０２】
なお、テンプレート３０は、保護部２０を含むエレメント部１０の貼り付け完了後に、アプリケーションフィルム２３とともに剥がされる。このため、給電端子部５０の位置合わせに使用する位置決めマーク３７は、エレメント部１０の導電端子１５の近傍に設けられる。
【符号の説明】
【０１０３】
１  車載アンテナ装置
１０  エレメント部
１０ａ  幅が広い矩形形状領域
１１  基材
１３  導電部
１５  導電端子
１７  保護膜
２０  保護部
２１  セパレーター（裏面保護シート）
２１ａ  タブ
２３  アプリケーションフィルム（表面保護シート）
３０  テンプレート
３０ａ  切り欠きされた領域
３１  位置決め線
３１ａ  第１位置決め線
３１ｂ  第２位置決め線
３１ｃ  第３位置決め線
３３ａ  第１折目線
３３ｂ  第２折目線
３３ｂ１  第１左右折目線
３３ｂ２  第２左右折目線
３３ｂ３  上下折目線
３４  接続領域
３５ａ  第１領域（エレメント接続領域）
３５ｂ  第２領域（ガラス貼付領域）
３５ｃ  第３領域（折り返し領域）
３７  位置決めマーク
４１  エレメント接続部材
４３  第１貼り付け部材
４８ａ〜４８ｄ  第１表記〜第４表記
５０  給電端子部
５１  ケース
５１ａ  凸部
５３  基板
５５  ケーブル
５７  ベース
５７ａ  第１切り欠き
５７ｂ  第２切り欠き
５９ａ  第１弾性部材
５９ｂ  第２弾性部材
６１  ホルダー
６１ａ  第１穴
６１ｂ  第２穴
６１ｃ  係合部
６１ｄ  位置決め部
６３  アースプレート
６３ａ  係合突起
６５  第２貼り付け部材
６５ａ  第３切り欠き
９１  車両フロントガラスの非透光領域
９２  境界線
９３  車両フロントガラスの透光領域
Ｐ  テンプレートの表面を構成する平面図形の重心
θ  第１切り込みとｙ方向のなす角度
【図１】
2018088659.tif 000003
【図２】
2018088659.tif 000004
【図３】
2018088659.tif 000005
【図４】
2018088659.tif 000006
【図５】
2018088659.tif 000007
【図６】
2018088659.tif 000008
【図７】
2018088659.tif 000009
【図８】
2018088659.tif 000010
【図９】
2018088659.tif 000011
【図１０】
2018088659.tif 000012
【図１１】
2018088659.tif 000013
【図１２】
2018088659.tif 000014
【図１３】
2018088659.tif 000015
【図１４】
2018088659.tif 000016
【図１５】
2018088659.tif 000017
【図１６】
2018088659.tif 000018
【図１７】
2018088659.tif 000019
【図１８】
2018088659.tif 000020
【図１９】
2018088659.tif 000021
【図２０】
2018088659.tif 000022
【図２１】
2018088659.tif 000023
【図２２】
2018088659.tif 000024
【図２３】
2018088659.tif 000025
【図２４】
2018088659.tif 000026
【図２５】
2018088659.tif 000027
【図２６】
2018088659.tif 000028